(57)【要約】【課題】多層化しても、最深層へ到達する光ビームの光量が大きく低下せず、どの記録層においても情報を記録再生が出来る光記録媒体を提供する。【解決手段】基板と、前記基板上に記録層と光学的に透明なスペーサ層とを交互に複数積層した第１の記録領域を配置し、前記記録領域上にトラッキングの際の基準となる凹凸部を設けたリファレンス層を配置し、さらに前記リファレンス層の上に記録層と光学的に透明なスペーサ層とを交互に複数積層した第２の記録領域を配置し、前記第２の記録領域上に光学的に透明なカバー層を配置し、前記第１と第２の記録領域の全ての記録層に前記凹凸部に対応したマークの組を複数個有する光記録媒体。【選択図】図４
2014179139.tif 000002
【特許請求の範囲】
【請求項１】
基板と、
前記基板上に記録層と光学的に透明なスペーサ層とを交互に複数積層した第１の記録領域を配置し、
前記第１の記録領域上にトラッキングの際の基準となる凹凸部を設けたリファレンス層を配置し、
さらに前記リファレンス層の上に記録層と光学的に透明なスペーサ層とを交互に複数積層した第２の記録領域を配置し、
前記第２の記録領域上に光学的に透明なカバー層を配置し、
前記第１と第２の記録領域の全ての記録層に前記凹凸部に対応したマークの組を複数個有する光記録媒体。
【請求項２】
前記記録層は、凹凸がなく平坦である、請求項１に記載の光記録媒体。
【請求項３】
前記リファレンス層は、前記凹凸部の内周側に、複数個のピットを持つ請求項１に記載の光記録媒体。
【請求項４】
前記凹凸部は、連続溝、又はピット、又は連続溝とピットとの組合せである、請求項１に記載の光記録媒体。
【請求項５】
前記マークの組は、トラッキング制御のための情報のみからなる請求項１に記載の光記録媒体。
【請求項６】
表面にトラッキングの際の基準となる凹凸部を設けたリファレンス部が形成された基板と、
前記リファレンス部の上に記録層と光学的に透明なスペーサ層とを交互に複数積層した記録領域を配置し、
前記記録領域上に光学的に透明なカバー層を配置し、
前記記録領域の全ての記録層にトラッキング制御のための情報のみからなるマークの組を前記凹凸部に対応するように複数個配置する光記録媒体。
【請求項７】
前記基板は、前記凹凸部の内周側に、複数個のピットを持つ請求項６に記載の光記録媒体。
【請求項８】
前記記録層は、凹凸がなく平坦である、請求項６に記載の光記録媒体。
【請求項９】
前記凹凸部は、連続溝、又はピット、又は連続溝とピットとの組合せである、請求項６に記載の光記録媒体。
【請求項１０】
前記マークの組は、
トラッキングすべき中心を示す第１のサーボマークと、
前記第１のサーボマークより内周側に位置する第２のサーボマークと、
前記第１のサーボマークより外周側に位置する第３のサーボマークと、からなる請求項１又は６に記載の光記録媒体。
【請求項１１】
前記マークの組は、
トラッキングすべき中心を示す第１のサーボマークと、
前記第１のサーボマークに隣接する複数個のサーボマークよりなるサーボマーク列、からなる請求項１又は６に記載の光記録媒体。
【請求項１２】
前記マークの組は、
隣接するトラッキングすべき中心との中間位置を示す第１のサーボマークと、
前記第１のサーボマークに隣接する複数個のサーボマークよりなるサーボマーク列、からなる請求項１又は６に記載の光記録媒体。
【請求項１３】
基板と、前記基板上に記録層と光学的に透明なスペーサ層とを交互に複数積層された第１の記録領域と、前記記録領域上に配置されたトラッキングの際の基準となる凹凸部を設けたリファレンス層と、前記リファレンス層の上に記録層と光学的に透明なスペーサ層とを交互に複数積層した第２の記録領域とを配置した光記録媒体の製造方法において、
赤色波長のレーザにて前記凹凸部をトラッキングしつつ、
前記第１及び第２の記録領域の各記録層に青色波長のレーザにて前記凹凸部に対応したマークの組を記録する、光記録媒体の製造方法。
【請求項１４】
表面にトラッキングの際の基準となる凹凸部を設けたリファレンス部が形成された基板と、前記リファレンス部の上に記録層と光学的に透明なスペーサ層とを交互に複数積層された記録領域とを配置した光記録媒体の製造法において、
赤色波長のレーザにて前記凹凸部をトラッキングしつつ、
前記記録領域の各記録層に青色波長のレーザにて前記凹凸部に対応したマークの組を記録する、光記録媒体の製造方法。
【発明の詳細な説明】
【技術分野】
【０００１】
本発明は光記録媒体等に関し、より詳しくは、記録層が１０層以上の超多層記録が出来る光記録媒体に関する。
【背景技術】
【０００２】
大容量の光記録媒体として、光透過性のスペーサ層を挟んで積層された複数の情報記録層を有する多層型光ディスクが知られている（例えば、特許文献１を参照。）。
【０００３】
図１８に、６層の記録層を持つ光ディスク構造を示す。これは、表面にトラック溝となる凹凸が形成された、厚さ１．１ｍｍのポリカーボネイト（ＰＣ）基板１０００を用意し、トラック溝となる凹凸が形成された面上にＬ０記録層１００１をスパッター法により形成する。このＬ０記録層１００１は、詳細部の図面に示すように記録膜及びその両面に配置された誘電体層を含んでおり、片側の誘電体層と基板１０００との間には金属反射層が設けられている。このＬ０記録層１００１の上にスペーサ層１００２を形成し、さらにその上にＬ１記録層１００３を形成する。同様にしてスペーサ層（１００４、１００６、１００８、１０１０）と記録層（１００５、１００７，１００９、１０１１）とを交互に形成しＬ２〜Ｌ５記録層を構成する。Ｌ５記録層１０１１の上にカバー層１０１２が形成されている。各スペーサ層の厚さは、それぞれ１０〜３０μｍ程度であり、紫外線硬化樹脂により形成されている。各スペーサ層は、２Ｐ法及び／又はシート状のナノプリント法を用いて形成されており、各表面には、ＰＣ基板１０００に形成されたトラック溝と同様のトラック溝が形成されている。
【０００４】
カバー層１０１２側に光ピックアップからのレーザ光１０１３を照射して、必要な記録層への情報の書き込みや読み出しを行うことで、この光ディスクへの情報の書き込みや再生が行われる。このときの、トラッキングには、各記録層に凹凸が形成されたトラック溝が利用される（例えば、特許文献２を参照。）。
【先行技術文献】
【特許文献】
【０００５】
【特許文献１】特開２００４−２１３７２０号公報
【特許文献２】特開２００９−１１０５５７号公報
【発明の概要】
【発明が解決しようとする課題】
【０００６】
しかしながら、前記従来の構成では、記録層毎に光ピックのトラッキングを制御する為のトラック溝が必要であり、記録層を多層化すると、このトラック溝の影響で、光ピックからの光ビームが回折し、この回折による損失は層を通過する度に増加する。そのため、記録層を、例えば４層以上に増やすと、最深層へ到達する光ビームの光量が大きく低下して、最深層に近くなるにつれ、情報の記録再生が出来なくなるという課題を有していた。
【０００７】
本発明は、前記従来の課題を解決するもので、多層化しても、最深層へ到達する光ビームの光量が大きく低下せず、どの記録層においても情報を記録再生が出来る光記録媒体を提供することを目的とする。
【課題を解決するための手段】
【０００８】
前記従来の課題を解決するために、本発明の光記録媒体は、基板と、前記基板上に記録層と光学的に透明なスペーサ層とを交互に複数積層した第１の記録領域を配置し、前記記録領域上にトラッキングの際の基準となる凹凸部を設けたリファレンス層を配置し、さらに前記リファレンス層の上に記録層と光学的に透明なスペーサ層とを交互に複数積層した第２の記録領域を配置し、前記第２の記録領域上に光学的に透明なカバー層を配置し、前記第１と第２の記録領域の全ての記録層に前記凹凸部に対応したマークの組を複数個有することを特徴としたものである。
【０００９】
また、本発明の光記録媒体の製造方法は、基板と、前記基板上に記録層と光学的に透明なスペーサ層とを交互に複数積層された第１の記録領域と、前記記録領域上に配置されたトラッキングの際の基準となる凹凸部を設けたリファレンス層と、前記リファレンス層の上に記録層と光学的に透明なスペーサ層とを交互に複数積層した第２の記録領域とを配置した光記録媒体の製造法において、赤色波長のレーザにて前記凹凸部をトラッキングしつつ、前記第１及び第２の記録領域の各記録層に青色波長のレーザにて前記凹凸部に対応したマークの組を記録することを特徴としたものである。
【発明の効果】
【００１０】
本発明の光記録媒体によれば、記録層を如何に多層化しても、最深層へ到達する光ビームの光量が大きく低下せず、どの記録層においても情報を記録再生することが出来る。
【図面の簡単な説明】
【００１１】
【図１】トラッキング溝による回折ロスを示す図
【図２】記録層数と回折ロスの関係を示すグラフ
【図３】本発明の光ディスクの外観図
【図４】本発明の光ディスクの断面図
【図５】本発明の光ディスクのレファレンス層の構造を示す斜視図
【図６】本発明の光ディスクの他の構造を示す図
【図７】本発明の片面ディスクの製法を説明するための断面図
【図８】本発明の両面ディスクの製法を説明するための断面図
【図９】本発明の光ディスクのフォーマッタのブロック図
【図１０】本発明の光ディスクのＡＯ変調器付近の要部を示す図
【図１１】本発明のサーボマークの第１の形態を示す図
【図１２】本発明のサーボマークの第１の形態の機能を説明する図
【図１３】本発明のサーボマークの第２の形態を示す図
【図１４】本発明のサーボマークの第２の形態を記録するためのブロック図
【図１５】本発明のサーボマークの第３の形態を示す図
【図１６】本発明の光ディスクを記録再生するためのブロック図
【図１７】本発明の光ディスクから再生されたサーボマークとサンプルホールドパルスの関係を示す図
【図１８】従来の多層光ディスクの断面図
【発明を実施するための形態】
【００１２】
図１にトラッキング溝による回折ロスの概念図を示す。図に示すように、光ディスクでトラッキング溝を持つ記録層を重ねていくと、透過光の減少が大きくなる。これは、光ビームが記録層に照射されると、このトラッキング溝による回折が起こり、次の記録層に透過する光ビームの量が減少するためである（これを回折ロスと呼ぶ。）。
【００１３】
この回折ロスは、トラッキング溝の部分を透過する光路長と、溝に隣接するランド部を透過する光路長との位相差に応じて発生する。例えば位相差が９０度での回折ロスは約４０％、位相差１８０度での回折ロスは１００％となる。更にトラッキング溝のエッジ部分にあたる光は散乱を受け、回折ロスとなる。この散乱による回折ロスは、溝深さが深いほど、また溝部に蒸着する記録膜のばらつき等によって溝のエッジが湾曲するほど大きくなる。
【００１４】
一般的な手法として、トラッキング信号を得るためにはプッシュプルトラッキング方式が用いられる。このプッシュプルトラッキング方式は、位相差９０度、つまり４分の１波長の位相差となる時に、ファーフィルドの回折が最も非対称になりトラッキング信号のＳ／Ｎがよくなる。通常は、反射光によりトラッキング信号を得ているが、この時は、位相差が往復で決まるため、トラック溝の位相差が８分の１波長になる時に最も良好なトラッキング信号を得ることができる。しかし、８分の１波長の位相差にすると上述のように溝形状による回折ロスが大きすぎるので、位相差を８分の１波長以下とする必要がある。
【００１５】
このようなトラッキング溝を持つ記録層を複数重ねた光ディスクとトラッキング溝を持たない記録層を複数重ねた光ディスクの回折ロスを、層ごとに示したのが、図２である。ここでは、記録膜の吸収によるロスが３％、回折ロスを７％として計算した。この回折ロスによる光量の減少は、層を重ねるに連れ顕著になる。図に示すように、トラッキング溝を持つ記録層を複数重ねた光ディスクではおよそ４〜５層以上になると記録光量限界以下になるので、情報の記録再生が極めて困難になる。一方トラッキング溝を持たない記録層を複数重ねた光ディスクでは回折ロスの発生が無いので、１７層までは実用上差し支えない。本発明者らは、この回折ロスを低減する方法について鋭意研究した結果、極めて効果的な方法を発明するに至った。
【００１６】
以下に、本発明の情報記録再生用ディスク及びその装置の実施の形態を図面とともに詳細に説明する。
【００１７】
（実施の形態）
（本発明の光ディスクの構成）
図３（ａ）は本発明の光ディスク１００の斜視図であり、光学的に透明なカバー層側から見た図である。詳細は、後述するが、基板上に溝のない平坦な記録層１０１を積層した第１の記録領域を形成し、この第１の記録領域の上にレファレンス層１０６を形成する。このレファレンス層１０６上にさらに記録層１０１を積層した第２の記録領域が形成されている。この第２の記録領域の表面に光学的に透明なカバー層が形成されている。光ディスク１００の個々の記録層は、記録領域１０４と記録されない内周領域であるリードイン１０２と記録されない外周領域リードアウト１０３とから成る。リードアウト１０３は情報の記録はされないので記録膜がなくてもよいが、後述するように、このリードアウト１０３にも記録層と同じ記録膜が形成されるほうが望ましい。従って、以下の実施例では、リードアウト１０３にも記録層と同じ記録膜が形成されているものとして説明する。
【００１８】
図３（ｂ）は、光ディスク１００の中から、レファレンス層１０６を取り出した斜視図である。レファレンス層１０６には基準トラック１０８が設けられている。本図では、一例として、螺旋状の溝からなる基準トラックを示したが、これに制限されるものでなはない。基準トラック形状は、螺旋、または同心円、あるいは離散的に配置されたピット等、トラッキングが行える情報が形成されたものであれば良い。
【００１９】
図３（ｃ）は、光ディスク１００の中から、１つの記録層１０１を取り出した斜視図である。矢印で示した部分は、記録層の拡大図である。１１１は、リファレンス層１０６に設けられた基準トラック１０８の中心またはエッジ等、基準トラックに対応して自由に設定する仮想トラックである。１１０は、本発明の特徴であるサーボマークであり、基準トラックに対応して、基準トラックに沿って形成される。サーボマークの形状等の詳細は、後述する。
【００２０】
図３（ａ）のＡ―Ａ´での光ディスクの断面２００を図４に示す。図４に示すように、基板２０１上に溝のない平坦な記録層２０３と透明なスペーサ層２０５とを交互に積層した第１の記録領域が形成されている。この第１の記録領域の上にレファレンス層２０６が配置され、このレファレンス層２０６の表面に溝のない平坦な記録層２０３と透明なスペーサ層２０５とを交互に積層した第２の記録領域が形成されている。この第２の記録領域の表面に光学的に透明なカバー層２０２が形成されている。この図では、リードイン領域は２０４であり、リードアウト領域は全て記録層とした。
【００２１】
第１の記録領域の記録層２０３の数は第２の記録領域の記録層２０３の数よりも多くするように配置する。これは、第２の記録領域の記録層２０３の配置と既存のＢｌｕ‐ｒａｙ  ＤＩＳＣ（登録商標）の記録層の配置とを部分一致させることが出来るので、互換層とすることができるからである。このように第２の記録領域の記録層２０３を配置することで、従来のディスク製造装置との一部互換や、Ｂｌｕ‐ｒａｙ  ＤＩＳＣ（登録商標）記録機や再生機での、下位互換が容易となる利点がある。そのため、ハードや光ディスクコストの削減を行うことが出来るとともに、例えば管理領域やサムネールをこの互換のある層に記録したり、ファイルエントリのみをこの互換層に順次記録したりするようにアプリケーションで対応すれば、従来機でコンテンツの内容を確認することができ、ユーザビリティが向上する。
【００２２】
図５に、本発明の基本的なレファレンス層２０６の拡大斜視図を示す。レファレンス層２０６には、基準トラック２０８と固有情報ピット２０７が形成されており、必要に応じてクロックピットが設けられる構成となっている。このレファレンス層２０６は、光学的に透明な材料、例えばＵＶ樹脂をスピナー塗布し、透明な樹脂又はガラススタンパーを用いて硬化させ、その上に蒸着やスパッターなどにより適切な反射膜を形成して作製する。
【００２３】
光ディスクの情報記録方式には、同心円状のランドグルーブトラック方式と螺旋状のランドグルーブ方式があるが、どちらの方式でも、本発明のレファレンス層２０６に形成される基準トラック２０８の形状を変更することで実現できる。様々な基準トラック２０８の形状を図５（ａ）〜（ｃ）に示す。これらの情報記録方式に対応した基準トラック２０８は、レファレンス層２０６の第１の記録領域側に設けられており、前述したように、隣接する平坦な記録層２０３に対応した領域に形成されている。この基準トラック２０８は、第１第２の記録領域内の全ての記録層２０３に、本発明の特徴であるサーボマークを形成するための基準トラックとして用いられる。
【００２４】
図５（ａ）は同心円状のランドグルーブトラックである。同心円状のランドグルーブトラック方式では光ディスクの１周ごとにトラックのランド部分と溝（グルーブ）部分を切り替えトラックピッチが半分のトラッキングを行うことが出来る。サンプルサーボマークのトラックピッチを同じにするため、基準トラック２０８のトラック幅とトラック間溝２０９との幅とは等しいことが好ましい。そこで、本実施の形態では、基準トラック２０８のトラック幅とトラック間溝２０９の幅とを０．３２μｍとした。そのため、トラックピッチは０．６４μｍとなる。こうすると、プッシュプル信号の変調度が上がるので、トラッキングを容易に行うことができる。また、基準トラック溝の位相差は、良好なトラッキング信号を得かつ出来るだけ回折ロスを少なくするため、トラッキングを行う波長の８分の１以下に設定することが好ましい。
【００２５】
図５（ｂ）は螺旋状のランドグルーブ方式であり、光ディスクの１周ごとにトラックのランド部分と溝（グルーブ）部分を、切り替え部２１０にて交互に形成する。このときも、図５（ａ）と同じく、基準トラック２０８のトラック幅とトラック間溝２０９の幅とを０．３２μｍとした。この方式では、切り替え部２１０で、トラッキングサーボの極性を切り替える必要があるが、例えばＤＶＤ−ＲＡＭのトラッキング技術を用いて容易にトラッキングを行うことができる。
【００２６】
図５（ｃ）は、基準トラック２０８の内部にクロックピット２２０、２２１が配置された例を示す。これらのクロックピットを利用すると、後述するサンプルサーボマークの生成の精度を高めることができる。また、その他の利用、例えば、光ディスクの回転制御など、様々な利用ができる。利用する形態に応じて、このクロックピットは必要な個数だけ基準トラック２０８上に配置すればよい。
【００２７】
このレファレンス層２０６に形成された基準トラック２０８を用いれば、後述するように、それぞれの記録層にサーボマークを形成することが出来る。
【００２８】
リードイン領域２０４に対応する領域（ＲＯＭ領域）には、複数の固有情報ピット２０７が設けられている。この固有情報ピット２０７は、凹凸のエンボスピット、すなわちＲＯＭの形状で記録されており、その位置が一意に決まっている。この固有情報ピット２０７は、光ディスクに固有の固有情報を予め記録する目的で利用できる。この固有情報は、例えば光ディスクの個別のＩＤ、記録層数、リファレンス層の位置、製造メーカ、及びロット番号などがあげられる。このような固有情報を、固有情報ピット２０７に予め記録しておけば、光ディスクの起動時間の短縮や個々の光ディスクのトレーサビリティなどの管理に有効である。
【００２９】
前述したように、固有情報ピット２０７の位置が一意に決められているので、前述した光ディスクの固有情報の格納以外の利用方法も考えられる。例えば、ディスク装填した後にフォーカス、トラッキングをＯＮして、ディスク個別の学習など行う起動位置としても使用できる。
【００３０】
また、本発明の光ディスクをドライブに挿入した際、平坦な記録層２０３で起動すると、線速度が遅い時や、レーザ学習が不適切な場合には、隣接の平坦な記録層に誤記録する可能性がある。そのため、起動位置を内周のＲＯＭ領域とすることで誤記録を防止することができる。なお、このＲＯＭを記録層２０３の外周側の領域に配することも出来る。
【００３１】
以上、説明した本発明の光ディスクの構成は、リファレンス層が二つの記録領域の中間に配置されていたが、これに限るものではない。図６に、別の形態を示す。
【００３２】
図６に示すように、基板上にリファレンス層を構成する基準トラック２０８と、固有情報ピット２０７を予め形成する。この部分を、便宜上リファレンス部２０６と呼ぶが、図４で説明したリファレンス層２０６と同様の機能を持つものである。このリファレンス部２０６上に、記録層２０３とスペーサ層２０５とを交互に積層して記録領域を形成する。その後、カバー層２０２を記録領域の表面に形成する。このときの光ディスクの厚みを１．２ｍｍとし、リファレンス部２０６の厚みを０．６ｍｍ、あるいは０．１ｍｍとすれば、従来のＤＶＤやＢｌｕ−ｒａｙ（登録商標）との互換が出来る。そのためには、基板２０１やカバー層２０２の厚みを記録層の数に応じて適宜調節すれば良い。
【００３３】
（本発明の光ディスクの作製方法）
次に、図７に基づいて本発明の光ディスクの作製方法を説明する。図７（ａ)は、レファレンス層、第１の記録領域、及び基板からなる第１の積層基板と、カバー層と第２の記録領域とからなる第２の積層基板とを示す。
【００３４】
第１の積層基板の作製方法を説明する。まず、例えばポリカーボネイト等の樹脂材料又はガラス材料等からなる厚さ１ｍｍの基板９０１上の記録再生する領域に、例えば相変化材料、酸化金属材料、色素材料、有機材料等からなる記録層９０２を１０〜２０ｎｍの厚さで形成する。この形成には、公知の蒸着あるいはスピンコート法を用いればよい。記録層の形成後、例えばＵＶ硬化性材料をスピンコートで塗布し、紫外線硬化させて厚さ１５μｍ程度のスペーサ層９０３を形成する。ＵＶ硬化性材料は、紫外線硬化後に光学的に透明な材料のものを用いる。このスペーサ層９０３の上に、さらに記録層９０４を形成する。材料及び形成方法は、先に説明した記録層９０２と同様である。このようにしてＵＶ硬化性材料からなるスペーサ層と相変化材料からなる記録層とを交互に繰り返して必要な記録層数を作製する。
【００３５】
その後、ＵＶ硬化性材料をスピンコートにて塗布し、前述した基準トラック及び固有情報ピット、クロックピットが形成された光学的に透明なスタンパー９２３を、図の向きに押し付けて紫外線硬化させ、その上に蒸着やスパッターなどにより適切な反射膜を形成する。このようにしてレファレンス層を形成する。
【００３６】
次に第２の積層基板の作製方法を説明する。光学的に透明な材料からなるカバー層９３２の上に、例えば相変化材料、酸化金属材料、色素材料、有機材料等からなる厚さ１０〜２０ｎｍの記録層９３１を形成する。その後、これらの形成方法は、第１の積層基板の作製方法と同様である。これらの操作を繰り返して必要な記録層数を形成して第２の積層基板を作製する。
【００３７】
以上のように作製した第１の積層基板のレファレンス層９２３側に硬化後透明となる接着剤９２４を塗布し、第２の積層基板の記録層側をレファレンス層９２３側に貼り合わせる。この貼り合せのときの位置決めは、第１の積層基板のレファレンス層の中心を基準とすれば良い。各記録層のトラッキング情報（サーボマーク）は、後述するようにレファレンス層９２３を基準と作成するので、１０層以上の超多層の記録層の位置決め精度が簡単に行える。また、リードアウトの位置合わせが不要となるため、記録層にはリードアウトを設けず外周まで記録層を形成するとより好ましい。
【００３８】
以上のように作製した本発明の光ディスクを図７（ｂ)に示す。スペーサ層の塗布量を調整すれば、カバー層からレファレンス層を挟んだ第１と第２の記録領域の合計を約２００μｍに作りこむことが容易に出来る。基板９０１の厚みが１ｍｍであるので、本発明の光ディスクの厚さは１．２ｍｍとなるので、すでに市販されているＣＤ、ＤＶＤ、及びＢＤと同じ厚さの光ディスクが実現できる。なお、本実施の形態での第１の積層基板での記録層数は１０層の例を示したが、それに限るものではない。
【００３９】
以上は、張り合わせ部分をレファレンス層としたが、他の製造方法として、最後にカバー層を貼り付ける方法もある。すなわち、第１の積層基板のレファレンス層９２３側に、ＵＶ硬化性接着剤をスピンコートで塗布して紫外線硬化させ、表面が平坦になるようにスペーサ層を形成する。この上に、記録層とスペーサ層を必要な数だけ交互に形成した後、カバー層を接着剤にて貼り合すことで、本発明の光ディスクが作製できる。
【００４０】
次に、本発明の光ディスクを用いて両面記録再生用光ディスクを作製する方法を、説明する。図８（ａ）は、両面記録再生用光ディスクの片面の断面図である。基板、記録層、スペーサ層等の材料は、先に図７で説明した光ディスクと同様であるが、基板８０１の厚みが４００μｍと薄くなっている。基板８０１以外の層の合計は、図７で説明した光ディスクと同様に２００μｍである。このような厚みにして、図８（ｂ）に示すように、接着剤８３３を介して、片面光ディスク同士を貼り合せて両面記録再生用光ディスクを作製すると良い。片面光ディスク全体の厚みは６００μｍなので、貼り合わせると、全体の厚みが１．２ｍｍとなり、従来から市販されているＣＤ、ＤＶＤ、及びＢＤと同じ厚さの光ディスクが実現できる。このように、片面ディスクの基板厚を調整することで、従来の光ディスクとの厚みの互換性が出来る。本実施例では、双方の片面ディスクの基板厚みを同じ値にしたが、両方の基板厚みを調整して１．２ｍｍに合わせれば良い。このようにして片面光ディスクの記録層が１６層で記録容量が５１２ＧＢであれば、両面貼り合せを行うと１０２４ＧＢの記録容量の光ディスクが実現できる。このように、基板厚みを調整して貼り合せを行うことで、容易に記録容量を２倍にすることが出来る。
【００４１】
（サーボマークの作製方法）
図９は本発明による光ディスク２００の各記録層にサーボマークを書き込む（以下、フォーマットと呼ぶ。）ためのフォーマッタ装置の光学系の構成図である。フォーマッタ装置３００には、トラッキング制御用のための赤色レーザ光源３３１（波長６５０ｎｍ）とサーボマーク記録用の青色レーザ光源３１１（波長４０５ｎｍ）と備えている。以下、便宜上、赤色レーザ光源３３１を用いた光学系を赤色光学系、青色レーザ光源３１１を用いた光学系を青色光学系とする。
【００４２】
これらのレーザ光源の波長特性は、Ｂｌｕ−ｒａｙ（登録商標）やＤＶＤに使われるレーザ光源の仕様を満たしたものであれば好い。フォーマットの概略は以下の通りである。まず、レファレンス層２０６上の基準トラックを用いて赤色レーザにて対物レンズ３１８のトラックキング制御を行った後、対物レンズ３１８を制御し記録層上に青色レーザにて順次サーボマークを書き込む。
【００４３】
以下、詳細を説明する。赤色レーザ３３１を出射した光ビームは偏光ビームスプリッタ３３２を透過し、コリメートレンズ３３３で略平行光ビームとされ、４分の１波長板３３４、波長分離ビームスプリッタ３１７で反射して対物レンズ３１８に入射する。対物レンズ３１８は、赤色レーザ光及び青色レーザ光での球面収差がレファレンス層２０６で最小となるように設計されている。本実施例では、赤色レーザ光による対物レンズ３１８のＮＡは０．６０に設定した。ＮＡを制限する為にアパーチャ（図示せず）が必要であり、例えば４分の１波長板３３４の上に形成することが出来る。また、対物レンズ３１８には、トラッキング方向及びフォーカシング方向のアクチュエータとして、各々トラキングコイル３３９及びフォーカシングコイル３２２とが設けられている。フォーカシングコイル３２２には、赤色レーザ３３１を出射した光ビームがレファレンス層２０６表面で焦点を結ぶように、予め制御されている。
【００４４】
さて、対物レンズ３１８を出射した赤色光ビームは、光ディスク２００のレファレンス層２０６に入射し（往路）、その表面で反射する。この反射された光ビームの光路は往路を逆に辿り、４分の１波長板３３４で往路の偏波面と直交する偏波面となり、偏光ビームスプリッタ３３２で反射して検出レンズ３３５を通過して、光検出器３３６に入射する。この赤色光ピームのフォーカスは、光検出器からのフォーカス信号Ｆｏを基にフォーカシングコイル３３８を制御する。光検出器３３６ではレファレンス層２０６に形成された基準トラック２０８からの回折によるトラッキング信号Ｔｒを基にトラッキングコイル３３９を制御する。なお、トラッキング信号によるトラッキング制御は、基準トラックの形状に応じて、プッシュプルトラッキング方式や位相方式など、公知のトラッキング方式を用いれば良い。
【００４５】
以上のように赤色レーザ光にてトラッキング制御がなされている状態で、青色レーザ光にて記録層にサーボマークを書き込む。青色レーザ光源３１１を出射した青色光ビームはリレーレンズ３１２で集光され、ＡＯ変調器（Ａｃｏｕｓｔｏ-Ｏｐｔｉｃ  Ｍｏｄｕｌａｔｏｒ）３１３、偏光ビームスプリッタ３１４を透過し、コリメートレンズ３１５で略平行光ビームとなる。この平行光ビームは、さらに、４分の１波長板３１６、波長分離ビームスプリッタ３１７を透過して、対物レンズ３１８に入射する。このとき、対物レンズ３１８から出射した光ビームが、記録するための記録層に入射できるようにフォーカシングコイル３２２を制御する（往路）。また、対物レンズ３１８の青色光での球面収差は、レファレンス層２０６近傍で最小となるように設計されているので、目的の記録層に合わせて青色レーザ光での球面収差の補正を行う必要がある。そのためには、コリメートレンズ３１５にアクチュエータ３２４を設け、ステッピングモータ等を用いて調整すれば良い。
【００４６】
次に、記録層で反射された青色レーザ光は光路を逆に辿り、４分の１波長板３１６にて往路の偏波面と直交する偏波面となり、偏光ビームスプリッタ３１４で反射して、検出レンズ３１９を通過して光検出器３２０に入射する。検出レンズ３１９と光検出器３２０の組み合わせにより、対物レンズ３１８と光ディスク１００の記録面２０３とのフォーカス誤差信号３２１の検出を行うことができる。フォーカス誤差信号３２１の検出には、非点収差法等、公知の方法で検出できるので詳細な記述は省略する。このフォーカス誤差信号３２１を用いて、フォーカシングコイル３２２を制御し青色レーザ光でフォーカシングが行われる。フォーカス制御が完了して始めて、サーボマークの書き込みが出来る。このフォーカシング制御は、赤色レーザ光によるフォーカシング制御に先立って行ってもよい。
【００４７】
このように青色レーザ光で対物レンズ３１８のフォーカシングを行うと、赤色レーザ光ではフォーカス誤差が生じる。これは、サーボマークを書き込む記録層とレファレンス層２０６との間の距離が記録層毎に異なるので、対物レンズ３１８のフォーカス深度内に全ての記録層が収まらないからである。そのため、サーボマークを書き込む記録層に従って、フォーカス誤差の補正が必要になる。そのため、コリメートレンズ３３３にフォーカス補正コイル３３８を設け、光検出器３３６からフォーカス誤差信号を元にフォーカス補正コイル３３８を制御し、コリメートレンズ３３３を光軸方向に移動させ、フォーカス誤差の補正を行う。
【００４８】
次に、このフォーマッタ装置により光ディスク２００のフォーマットを行う、すなわち、赤色レーザ光でレファレンス層２０６の基準トラックに追従しながら、青色レーザ光で記録層上にサンプルサーボ用のサーボマークを形成していくフォーマット動作について述べる。
【００４９】
サーボマークは、レファレンス層２０６の基準トラック２０８に対応した各記録層の位置に書き込まれる。ここで、基準トラック２０８に対応した記録層のトラックを仮想トラックと呼ぶが、サーボマークは、この仮想トラックの中心、及びこの中心から仮想トラックと垂直な方向に内周側と外周側にオフセットさせた位置に書き込む必要がある。そのためにＡＯ変調器３１３が用いられる。
【００５０】
図１０に、青色レーザ３１１の周辺の光学構成を拡大して示す。青色レーザ光源３１１を出射した青色レーザ光はリレーレンズ３１２で集光され、ＡＯ変調器３１３に入射される。この変調に応じて、青色レーザ光は回折して偏光ビームスプリッタ３１４を介してコリメートレンズ３１５により平行光ビームとなる。ここで、サーボマークを記録するときに、ＡＯ変調器に信号を与えると、図１０に示すように、その変調周波数に応じてＡＯの回折角が僅かに変化する。この変化する回折角θ、対物レンズの焦点距離ｆｏとすると、記録層上のサーボマークの変位δは、仮想トラックの中心からδ＝θ・ｆｏとなる。仮にＢｌｕ‐ｒａｙ（登録商標）ディスクと同じトラックピッチとすると、この変位δが０．０８μｍ程度となるように変調周波数を設定すれば良い。
【００５１】
青色レーザ光源３１１は、再生レベルのパワーでフォーカス誤差信号３２１を行ない、サーボマークを記録するときに記録パワーにする。レーザ出力が記録パワーになる時間はほんの僅かであるのでフォーカスサーボが影響されることはないが、駆動信号が飽和して悪影響がある場合にはフォーカス誤差信号を記録区間ゲートしてホールドもしくは無信号とすればよい。
【００５２】
以上、説明したフォーマッタ装置を用いることで、希望する記録層に基準トラックに合わせたサーボマークを自在に形成することが出来る。これらのサーボマークを組み合わせることで、次に説明するような形態でのサンプルサーボ情報を自在に作ることができる。
【００５３】
（サンプルサーボ情報の第１の形態）
図１１に、本発明のサンプルサーボ情報の第１の形態を示す。本実施の形態でのサンプルサーボ情報は、３種類のサーボマークの組から構成される。すなわち、記録トラックの中心４１１上に位置するタイミングマーク４１２と、記録トラックの中心４１１の両側に位置する第１のトラックキング用マーク４１３と第２のトラックキング用マーク４１４から構成される。記録トラックの中心４１１は、レファレンス層の基準トラックの中心に一致している。このサーボ情報の組が、記録トラックの中心に沿って所定の間隔で設けられている。説明の便宜上、図中の矢印で外周方向、内周方向を示した。この向きを反対にしても、発明の実施には差し支えることはない。
【００５４】
タイミングマーク同士の間隔Ｔｓは、トラキングサーボ制御系のサンプルサーボの繰り返し周波数Ｆｓを基準として設定する。すなわち、隣接するタイミングマーク４１２同士の間隔Ｔｓは、Ｔｓ＝１／Ｆｓとなる。Ｆｓは、サーボ制御系のサーボ帯域周波数の１０倍以上に設定するのが実用的である。
【００５５】
例えば、ＢＤ規格（線速４．９１７ｍ／ｓ、データピット長１１１．７５ｎｍ、チャネルクロック６６ＭＨｚ）を当てはめると、内周（半径位置２４ｍｍ）のトラックで、回転数は約２０００ｒｐｍ、すなわち１回転３０ｍｓとなる。サーボの帯域を１０ｋＨｚとして、その半径位置で１００ＫＨｚのＦｓを確保すると、Ｔｓ＝１０μｓとなり、１周に３０００個のサーボマークが必要となる。またタイミングマークと１対のトラッキングマークの間隔は、データビット長に合致させることが好ましく、基本的にはその間隔はＴｓｖ＝１１１．７５ｎｍ、Ｔｓｅ＝２Ｔｓｖ＝２２３．５ｎｍとなる。
【００５６】
また、タイミングマーク４１２と第１のトラックキング用マーク４１３との間隔Ｔｓｖは、層ごとに変化させて層の番号を示すことも出来、また仮想トラックの番号を示すことも可能であるため、適宜決定する。なお、この技術に関しては、例えば特開平１−２３２５３９、特開平１−２２３６３４に開示されているおり、詳細な説明は省略する。
【００５７】
図１２は、図１１で示した各サーボマークを光ビームが横切ったときに得られる信号出力の波形を示したタイミング図である。図に示すように、光ビームスポットが光ピックアップからの光ビームが記録トラックの中心４１１上を通る時（オントラック状態）では、サーボ情報を構成するタイミングマーク４１２は、他のマークに比べ最大の信号レベルで再生される。そのとき、第１のトラックキング用マーク４１３と第２のトラックキング用マーク４１４とは、それぞれ同じ大きさの信号レベルであり、かつタイミングマークの信号レベルよりも小さい。光ピックアップからの光ビームが記録トラックの中心４１１より内周側に移動すると、光ビームは第１のトラックキング用マーク４１３に近い所を通る、その時は、第１のトラックキング用マーク４１３の再生信号がタイミングマーク４１２よりも大きな信号レベルで再生される。また、第２のトラックキング用マークの再生信号のレベルは、タイミングマーク４１２の信号レベルよりも小となる。一方、光ピックアップからの光ビームが外周側に移動すると、再生信号の大きさは、第２のトラックキング用マーク４１４＞タイミングマーク４２＞第１のトラックキング用マーク４１３、となる。この関係を利用することで、オントラック状態にするための光ピックアップの移動方向と移動量がわかる。従って、本実施例のサーボマークを利用して公知のサンプルサーボを用いることで、トラッキング制御を行うことが出来る。
【００５８】
（サンプルサーボ情報の第２の形態）
図１３は、本発明の光ディスクに好適なサンプルサーボ情報の第２の形態を示す。サンプルサーボ情報の第１の形態と異なる点は、１６０２に代表される全てのサーボマークが記録トラックの中心１６０１の上に記録される点である。このような配置にすると、サーボマークが全て記録トラックの中心１６０１上にあるため、先の例では必要であったＡＯ変調器を用いることなくサーボマークを形成することが出来る。
【００５９】
この第２の形態でのサンプルサーボ情報は、同じ形状をしたサーボマークが等間隔で配置されたマーク列で構成されている。図では、４個のサーボマークから成るマーク列１８１０を示す。トラッキング情報の検出は、公知のＤＰＤ（Ｄｉｆｆｅｒｅｎｔｉａｌ  Ｐｈａｓｅ  Ｄｅｔｅｃｔｉｏｎ）方式を用いることで、容易に行うことが出来、原理的にはマーク１個でも可能であるが、マークの形状ばらつきによるマークのエッジのタイミング誤差の影響を低減するため、図１３のように１番目のマークの中心と２番目のマークの中心から、３番目以降のマークの中心のタイミングを割り出した後、抽出されるマークの前半分の回折信号と後半分の回折信号を２値化し、位相を比較するように構成すれば、検出精度をあげることができる。
【００６０】
図１４に、本実施例のサンプルサーボ情報をディスク上に記録するためのブロック図を示す。図９で説明したフォーマッタの赤色光学系で、赤色ビームスポットによりレファレンス層２０６のトラックから再生されるクロック信号３９０が再生増幅器３９１に入力される。２値化装置３９２によりパルス列に変換され、パルス列に同期したＰＬＬ３９３を駆動する。ＰＬＬは、プログラマブル分周比設定器３９４を備えているので、外部からの指令により分周比を設定することが出来る。サンプルサーボ情報のためのマーク列は、サーボマーク生成器３９５により生成されたサーボマーク列３９７として記録増幅器３９６に出力され、図９で説明した青色光学系を介して、光ディスクの記録層に供給される。そして、基準トラック再生信号に同期して、記録層上にリファレンス層の基準トラックに対応した位置にサーボマークを記録していく。
【００６１】
このような記録を行うことで、記録トラックの中心１６０１の上にマーク列１８１０、１８２０、と順次記録していく。サンプルサーボ情報の第１の形態と同様に、マーク列同士の間隔Ｔｓは、トラキングサーボ制御系のサンプルサーボの繰り返し周波数Ｆｓを基準として設定する。すなわち、隣接するタイミングマーク４１２同士の間隔Ｔｓは、Ｔｓ＝１／Ｆｓとなる。Ｆｓは、サーボ制御系のサーボ帯域周波数の１０倍以上に設定するのが実用的である。
【００６２】
このようなマーク列でトラッキングを行うには、よく知られたＤＰＤ（Ｄｉｆｆｅｒｅｎｔｉａｌ Ｐｈａｓｅ Ｄｅｔｅｃｔｉｏｎ）方式を用いることが出来る。トラッキング信号の検出には４分割の光検出器を用いる。４分割の光検出器の対角同士を其々加算し、得られた２つ加算信号を減算してトラッキング信号をえる。この時先頭のピットをクロックのタイミング信号として各マークの中心となるＦｓｖの周期でトラッキング信号の極性を入れ替えることで良好なトラッキング信号を得ることが出来る。
【００６３】
この方式は既にＤＶＤやＢｌｕ−ｒａｙ（登録商標）などに用いられており安定なトラッキングサーボが行える。ＤＰＤ方式のトラッキング信号のＳ／Ｎを向上させる方法として、４分割光検出器の中心部をマスクまたは減衰させる。こうすることで４分割光検出器の中心部辺りで受ける低次の回折光の影響を避けることが出来るので、例えばチルトなどによる低次の部分に発生する光ビームの歪みの影響を排除できる。さらに上述の第１の実施の形態のサーボマークは記録トラックから変位しているので、この変位により受ける光スポットの半径方向の回折を検出するのに対し、第２の実施の形態のサーボマークはマークにより光スポットが４５度方向に回折する原理を用いており良好なトラッキング信号を得ることが出来る。
【００６４】
（サンプルサーボ情報の第３の形態）
図１５に本発明のサンプルサーボ情報の第３の実施の形態の形状を示す。これは、サンプルサーボ情報の第２の形態と同様に、図１４に示した記録方法で形成することが出来る。第２の実施の形態との相違点は、サーボマーク生成器３９５でのパルス列の生成にある。本実施の形態のサーボマークは、一周ごとにサーボマークの周期がＴ１だけ遅れるパルス列がサーボマーク生成器３９５により、図９で説明したフォーマッタの青色光学系を介して、記録増幅器に供給される。そして、基準トラック再生信号に同期して、記録ディスク層上に隣接トラック間におけるサーボマークの周期Ｔ１を保つサーボマーク列を記録する。この場合はディスクの回転数制御をＣＡＶ（ｃｏｎｓｔａｎｔ  ａｎｇｕｌａｒ ｖｅｌｏｃｉｔｙ）あるいはＭＣＡＶ（ｍｏｄｉｆｉｅｄ  ｃｏｎｓｔａｎｔ  ａｎｇｕｌａｒ ｖｅｌｏｃｉｔｙ）とすることが必要である。
【００６５】
リファレンス層２０６に形成された基準トラック２０８の信号形式はサーボマークの周期、遅延量、に最適化されたものであり、サーボマークの形態に応じて最適化される。
サーボマークの周期はたとえば記録される信号の同期信号の周期に同期させることができ、この場合、サーボマークが記録された信号の再生に妨害を与えることを低減させることが可能である。
【００６６】
このようにして、記録トラックの中心５１１の両側に位置する第１のトラックキング用サーボマーク５１２と第２のトラックキング用サーボマーク５１３の繰り返しで形成される。サーボマーク間の周期はＴ０で示す。
【００６７】
サーボマークは光ビームの走査方向に対して、例えばタイミングが先行するサーボマークが内周側に位置するように決定しておく。実施例では一周ごとにサーボマークの周期がＴ１だけ遅れるパルス列がサーボマーク生成器により、図９で説明したフォーマッタの青色レーザ光学系を介して、記録増幅器に供給される。そして、基準トラック再生信号に同期し、平坦な記録ディスク層上に隣接する外周側に位置するサーボマークを内周側に位置する隣接サーボマークの周期が一定値Ｔ１を保つサーボマーク列を記録する。これらのサーボマークは、図１５に示すとおり、トラックの仮想中心から内周あるいは外周方向に一定値だけオフセットしている。
【００６８】
以上で説明した通り、図９のフォーマッタ装置を用いて３種類のサーボマークを、本発明の光ディスクの記録層に形成することが出来る。
【００６９】
（本発明の光記録媒体への情報記録再生方法）
図１６に、本発明の光記録媒体へ情報を記録再生するための記録再生装置のブロック図を示す。記録再生するためのレーザは青色レーザを用いる。図において、青色レーザ３１１を出射した青色光ビームはコリメートレンズ３１５で略平行光ビームとされビームスプリッタ３１７を透過し、対物レンズ３１８に入射する。対物レンズ３１８を出射した光ビームは、光ディスク２００に入射する。この時、対物レンズ３１８の青色光についての球面収差はレファレンス層２０６近傍で最小となるように設計されている。球面収差の調整は、コリメートレンズ３１５を光軸方向に可動させて行う。光ディスク２００に入射した青色光ビームは、レファレンス層２０６又は記録層に照射される。このレファレンス層２０６で反射された光ビームは光路を逆に辿り、ビームスプリッタ３１７を通過し、検出レンズ３３３を経て、ビームスプリッタ３３２で反射して、光検出器３３６に入射する。
【００７０】
フォーカシングは、対物レンズ３１８を動かして行われる。青色光ビームの集光する記録層とレファレンス層２０６との間の距離は各記録層による位置が異なり、距離も一定していないので、対物レンズ３１８のフォーカス深度内にはない。そのため、フォーカス位置誤差の補正が必要になる。この場合、コリメートレンズ３１５を光軸方向に移動させ位置の補正を行うとともに、光検出器３３６からフォーカス誤差信号を得てフォーカシングアクチュエータ３２２によりフォーカス誤差の補正を行えば良い。
【００７１】
次に、フォーマットされた記録層のサーボマーク情報を用いて、光ディスク２００上に情報信号の記録、再生を行うときのトラッキング動作について説明する。サーボ系の動作の説明のため、図１５で示したサーボマーク情報を例に取り説明する。サーボマークは、フォーマッタの際に、レファレンス層２０６の基準トラックを基準として記録層上に記録され、サーボマーク情報を構成する各サーボマークは、仮想トラックの中心より左右にオフセットさせた位置に記録されている。図１６の下部に、サーボマークを青色光ビームでトラッキングさせるためのサーボ系のブロック図を示す。
【００７２】
図１６において、５２０は光検出器３３６のトラッキング出力Ｔｒを増幅する再生増幅器で、サーボマーク信号が再生され、５２１の２値化器により２値信号に変換される。５２２は図１５に示した周期Ｔ１だけ遅延させる遅延器であり、２値化器５２１の出力と５２３Ａのゲートに入力するＴ１だけ遅延されたパルス信号が同期したときにパルスを出力する。またゲート５２３Ｂは、２値化器５２１の出力とゲート５２３Ａの出力とが同期したときには出力しないよう動作する。５２４、５２５はサンプルホールド装置であり、再生増幅器５２０の出力をゲート５２３の出力パルス、２値化器５２１の出力パルスによりサンプルホールドする。これらの２つのサンプルホールド値は、差動増幅器５２６に送られて両者の差分が出力される。
【００７３】
図１７に、再生されたサーボマークとサンプルホールドパルスの関係を図示した。ここでは便宜上、サーボマークの出力が大きいほど、サーボマークの中心に近く、出力が小さくなるほどサーボマークのセンターから外れる、とした。したがって、この差（差動増幅器５２６の出力）がトラックセンターからのずれ量を示す。そのため、ずれが０に近づけば青色光ビームがトラックの中心を追従していることになる。
【００７４】
以上のように、差動増幅器５２６により差動信号（ずれ量）が出力され、５２７のトラッキングサーボのイコライザにより応答特性を適正にした後、５２８の駆動増幅器により３３９に示すトラッキングアクチュエータを制御することで、サーボマークを利用したトラッキング制御が出来る。
【００７５】
以上のようなサーボ系を構成することにより、グルーブなしの平面記録層にサーボマークを追記し、追記したサーボマークによって、情報信号を記録するためのトラッキングサーボを動作させることが出来る。
【００７６】
以上、本発明の光記録媒体に対する、フォーカシング制御とトラッキング制御の方法について説明した。これにより、情報を本発明の光記録媒体に記録する方法は、公知の技術で行うことが出来る。そのため、ここでは、情報の記録方法についての説明を省略した。なお、記録回路を設計する際は、再生状態から記録状態に切り替える際のサーボマークを再生している光量が変動することを考慮する必要がある。またサーボマークを読み取る光が情報信号により変調されるため、サーボマークを読み取る周期に同期し、サーボ系に外乱が発生しないように、あらかじめ光変調波形を補正しておいても良い。
【００７７】
以上のように、本発明の光記録媒体は、各記録層にトラッキング用の溝やビットを設けていないため、回折ロスが生じない。そのため、記録層を１０層以上に重ねても、記録層同士の回折ロスの増加が無く、容易に大容量の光ディスクを実現することが出来る。
【００７８】
また、１つのリファレンス層でトラッキングしながら、直接各記録層にデータを記録再生する方法に比べると、利点が多い。上述の方法では、１つのリファレンス層のみでトラッキングを行うため、記録再生機では、トラッキング光学系と記録再生光学系とが必要になる。記録再生光学系のレーザビームは記録層を通過する度に収差が生じるため、リファレンス層の球面収差値を基準に記録層毎に収差補正が必要になる。ところが、収差補正には補正誤差が生じる。そのため、リファレンス層から記録層を重ねるほど収差の補正誤差が累積して、フォーカス位置、トラッキング位置に対して精度が悪化し、良好な記録再生ができなくなる。また、この二つの光学系は、レーザ波長を同一に出来ず、記録再生機の光学系を簡素にすることが出来ない。本願は、このような欠点を原理的に解消できるもので、各記録層にサンプルサーボ情報が形成されているので、記録装置でのディスクの互換性が良い。また、記録再生機の光学系を簡素にすることが出来、従来のＢｌｕ-ｒａｙ（登録商標）やＤＶＤの部品の共用やデータの互換を容易に取ることが出来る。
【産業上の利用可能性】
【００７９】
本発明にかかる光記録媒体は、記録層を如何に多層化しても、最深層へ到達する光ビームの光量が大きく低下せず、どの記録層においても情報を記録再生することが出来るので、１０層以上の記録層を持つ光記録媒体として有用である。また、本発明にかかる光記録媒体を用いれば、超大容量の記録再生装置に容易に適用できる。
【符号の説明】
【００８０】
１００  基板
１０１  記録層
１０６  レファレンス層
１０８  基準トラック
１１０  サーボマーク
１１１  仮想トラック
２００  光ディスクの断面
２０１  基板
２０２  カバー層
２０３  記録層
２０４  リードイン領域
２０５  スペーサ層
２０６  レファレンス層
２０７  固有情報ピット
２０８  基準トラック
２１０  切り替え部
２２０  クロックピット
２２１  クロックピット
３１１  青色レーザ光源
３１２  リレーレンズ
３１３  ＡＯ変調器
３１４  偏光ビームスプリッタ
３１５  コリメートレンズ
３１６  ４分の１波長板
３１７  波長分離ビームスプリッタ
３１８  対物レンズ
３１９  検出レンズ
３２０  光検出器
３２１  フォーカス誤差信号
３２２  フォーカシングコイル
３２４  アクチュエータ
３３１  赤色レーザ光源
３３２  偏光ビームスプリッタ
３３３  コリメートレンズ
３３４  ４分の１波長板
３３５  検出レンズ
３３６  光検出器
３３８  フォーカシングコイル
３３９  トラッキングコイル
３９０  クロック信号
３９１  再生増幅器
３９２  ２値化装置
３９３  ＰＬＬ
３９４  プログラマブル分周比設定器
３９５  サーボマーク生成器
３９６  記録増幅器
３９７  サーボマーク
４１２  タイミングマーク
４１３  第１のトラックキング用マーク
４１４  第２のトラックキング用マーク
５１１  記録トラックの中心
５１２  第１のトラックキング用サーボマーク
５１３  第２のトラックキング用サーボマーク
５２０  再生増幅器
５２１  ２値化器
５２２  遅延器
５２３Ａ、５２３Ｂ  ゲート
５２４、５２５  サンプルホールド装置
５２６  差動増幅器
５２７  イコライザ
５２８  駆動増幅器
１６０１  記録トラックの中心
１６０２  サーボマーク
１８１０、１８２０  マーク列
【図１】
2014179139.tif 000003
【図２】
2014179139.tif 000004
【図３】
2014179139.tif 000005
【図４】
2014179139.tif 000006
【図５】
2014179139.tif 000007
【図６】
2014179139.tif 000008
【図７】
2014179139.tif 000009
【図８】
2014179139.tif 000010
【図９】
2014179139.tif 000011
【図１０】
2014179139.tif 000012
【図１１】
2014179139.tif 000013
【図１２】
2014179139.tif 000014
【図１３】
2014179139.tif 000015
【図１４】
2014179139.tif 000016
【図１５】
2014179139.tif 000017
【図１６】
2014179139.tif 000018
【図１７】
2014179139.tif 000019
【図１８】
2014179139.tif 000020